(57)【要約】【課題】洗面ボールのフランジ部の周端縁にリブを形成して架台の側板上から落下することもなく、しかも架台の側板上と洗面ボールのフランジ部との位置合わせが簡便な洗面ボール及びその取付構造を提供するものである。【解決手段】架台３の側板４に載置するボール外面に沿ったフランジ部５を設け、このフランジ部５の周端縁６にリブ７を形成するようにしたのは、下面が水平に成形され、軽量化のために複数個形成して一体成形したものである。このフランジ部５の周端縁６には、リブ７が形成されている【選択図】　　　　図３
2004081259.tif 000002
【特許請求の範囲】
【請求項１】
洗面ボール本体の裏面側に架台の側板に載置するフランジ部を設けた洗面ボールにおいて、該フランジ部の周端縁にリブを形成することを特徴とする洗面ボール。
【請求項２】
上記フランジ部の下端に位置決め用段部を形成することを特徴とする請求項１記載の洗面ボール。
【請求項３】
上記フランジ部の周端縁に設けられている水平リブから内方に傾斜する傾斜リブを形成することを特徴とする請求項１記載の洗面ボール。
【請求項４】
上記洗面ボール本体が樹脂製のＳＭＣを基材として成形することを特徴とする請求項１記載の洗面ボール。
【請求項５】
洗面ボールのフランジ部の周端縁のリブを架台の側板に載置するとともにフランジ部の下端に設けられている位置決め用段部を側板の外面に係止して載置するようにして成る洗面ボールの取付構造。
【発明の詳細な説明】
【０００１】
【発明の属する技術分野】
本発明は、洗面化粧台等の架台の側板に洗面ボール本体のフランジ部を載置して固着する洗面ボール及びその取付構造に関するものである。
【０００２】
【従来の技術】
図６に示したように、アクリル樹脂やポリカーボネート樹脂等をプレス成形してボール状に成形された洗面ボール本体２０の周端縁に折り返し垂下するフランジ部２１と洗面ボール本体２０の背面側に突出している固定部２２とが設けられた洗面ボール２３を成形し、この洗面ボール２３のフランジ部２１を洗面化粧台の架台２４の側板２５上に載置して、洗面ボール本体２０の背面側に突出している固定部２２を洗面化粧台の架台２４の内面側に断面Ｌ字状の金具２６が固定され、この断面Ｌ字状の金具２６の水平部２７に洗面ボール２３の固定部２２がビスやボルト等の固着具２７でもって固着するようにしていた。
【０００３】
このとき、洗面ボール２３のフランジ部２１の肉厚を薄くして形成すると、図７（ａ）、（ｂ）、（ｃ）のように、架台２４の側板２５上から外れて落ちたりする恐れがあり、洗面ボール２３の取付けの位置合わせが困難なものであった。また、洗面ボール本体２０の背面側に突出している固定部２２と架台内面側に固定されている断面Ｌ字状の金具２６との固定が面倒なものであった。
【０００４】
【発明が解決しようとする課題】
本発明は上記問題点の解決を目的とするものであり、洗面ボールのフランジ部の周端縁にリブを形成して架台の側板上から落下することもなく、しかも架台の側板上と洗面ボールのフランジ部との位置合わせが簡便な洗面ボール及びその取付構造を提供するものである。
【０００５】
【課題を解決するための手段】
本発明の請求項１記載の洗面ボールは、洗面ボール本体の裏面側に架台の側板に載置するフランジ部を設けた洗面ボールにおいて、該フランジ部の周端縁にリブを形成することを特徴とする。
【０００６】
したがって、洗面ボールのフランジ部の周端縁にリブを形成しているので、架台の側板との接触面積が大となり、側板上から落下することもなく、しかも架台の側板上と洗面ボールのフランジ部との位置合わせが簡便なものである。
【０００７】
本発明の請求項２記載の洗面ボールは、請求項１記載のフランジ部の下端に位置決め用段部を形成することを特徴とするものである
【０００８】
したがって、架台の側板の外面に位置決め用段部が係合されるので、洗面ボールの位置決め作業が簡便である。
【０００９】
本発明の請求項３記載の洗面ボールは、請求項１記載のフランジ部の周端縁に設けられている水平リブから内方に傾斜する傾斜リブを形成することを特徴とするものである
【００１０】
したがって、架台の側板の上面に水平リブが載置され、傾斜リブによって洗面ボールの位置決め作業が簡便である。
【００１１】
本発明の請求項４記載の洗面ボールは、請求項１記載の洗面ボール本体が樹脂製のＳＭＣを基材として成形することを特徴とするものである。
【００１２】
したがって、洗面ボールの肉厚が薄く形成され、材料ロスが少なく経済的に成形可能となる。
【００１３】
本発明の請求項５記載の洗面ボールの取付構造は、洗面ボールのフランジ部の周端縁のリブを架台の側板に載置するとともにフランジ部の下端に設けられている位置決め用段部を側板の外面に係止して載置するようにして成るものである。
したがって、フランジ部の下端に設けられている位置決め用段部が側板の外面に係止して載置するようにしているので、洗面ボールの位置決め作業が簡便であり、洗面ボールの取付けが簡単である。
【００１４】
【発明の実施の形態】
図１乃至図５に示したように、本発明の実施形態に係わる洗面ボール及び洗面ボールの取付構造であって、以下に説明する。
【００１５】
本発明の洗面ボールＡは、図１乃至図３に示したような四角形状をし、樹脂製、陶器製、金属製等の洗面ボール本体１の裏面側２に架台３の側板４に載置するフランジ部５を設け、このフランジ部５の周端縁６にリブ７を一体成形したものである。
【００１６】
この洗面ボールＡは、洗面化粧台の架台３の側板４の上にフランジ部５の周端縁６に設けられているリブ７を載置する。これにより、洗面ボールＡを洗面化粧台の架台３の側板４の上に載置する際に、左右前後に移動するときにフランジ部５のリブ７の面積が大となり、架台３の側板４の上から外れることもない。
【００１７】
図４は、異なる実施形態に係わり、フランジ部５の周端縁６の水平リブ７が内方に傾斜するように傾斜リブ８を形成することで、架台３の側板４の上面に水平リブ７が載置され、傾斜リブ８によって洗面ボールＢの位置決め作業が簡便である。
【００１８】
また、図５は、フランジ部５の下端に設けられている位置決め用段部９が側板４の外面に係止して載置するようにしているので、洗面ボールＣの位置決め作業が簡便であり、洗面ボールＣの取付けが簡単となる。
【００１９】
以下、本発明の一実施例に係わる図１乃至図５に基づいて詳細に説明する。
図１（ａ）は洗面ボールの平面図、（ｂ）は（ａ）の背面図、（ｃ）は（ａ）の側面図、図２は、本発明の一実施例に係わる洗面ボールの背面から見た斜視図、図３は、本発明の一実施例に係わる洗面ボールを架台の側板の上に載置した状態を示す要部の断面図、図４は、異なる実施例に係わる洗面ボールを架台の側板の上に載置した状態を示す要部の断面図、図５は、さらに異なる実施例に係わる洗面ボールを架台の側板の上に載置した状態を示す要部の断面図である。
【００２０】
図１において、洗面化粧台に取付けられる平面略四角形状の洗面ボールＡ、Ｂ、Ｃが形成され、この洗面ボールＡ内に水栓金具（図示せず）で得られた水や湯水が排水される排水口１０が設けられており、この排水口１０から下方に排水管を接続し排水するようにされている。このとき、洗面ボールＡ、Ｂ、Ｃの周縁には、フランジ部５の周端縁６に複数個のリブ７が形成されている。これらの、洗面ボールＡ、Ｂ、Ｃは、洗面ボール本体１が樹脂製のＳＭＣ（シート・モールデイング・コンパウンド）を基材として成形しているので、従来のＢＭＣ（ベンド・モールデイング・コンパウンド）より、厚さを薄く成形が可能となる。そのために、洗面化粧台等の架台３の側板４から落下しないようにフランジ部５の周端縁６にリブ７を一体成形するものである。さらに、洗面ボールの肉厚が薄く形成され、材料ロスが少なく成形できるので、経済的である。
（実施例１）
【００２１】
図２及び図３において、洗面ボールＡは、ボール状に形成された陶器や磁器等のセラミック、ステンレス等の金属、塩化ビニールやポリカーボネート等の樹脂でできた洗面ボール本体１の裏面側２に架台３の側板４に載置するボール外面に沿ったフランジ部５を設け、このフランジ部５の周端縁６にリブ７を形成するようにしたのは、下面が水平に成形され、軽量化のために複数個形成して一体成形したものである。このフランジ部５の周端縁６には、リブ７が形成されている。尚、リブ７は洗面化粧台等の架台３の側板４の方向と直交するように複数個形成すれば良いが、側板４から落下しなければどのような形状のリブ７であっても良い。
【００２２】
そして、この洗面ボールＡのフランジ部５の周端縁６に形成されるリブ７を架台３上に載置される。このようにリブ７を設けることで、洗面ボールＡを左右前後に摺動下場合に、架台３の側板４との接触面積が大となり、側板４上から洗面ボールＡのフランジ部５が落下することもなく、しかも架台３の側板４上と洗面ボールＡのフランジ部５との位置合わせが、洗面ボールＡをスライドさせることで簡便なものである。
（実施例２）
【００２３】
図４は、洗面ボールＢの異なる実施例であって、フランジ部５の周端縁６のリブ７が架台３の側板４の上面に載置可能なように水平リブ７が形成され、この水平リブ７が側板４の内方に傾斜するように傾斜リブ８を形成したものである。この洗面ボールＢを架台３の側板４の上面に載置する際には、水平リブ７が載置され、水平リブ７と傾斜リブ８との屈曲点１１によって洗面ボールＢの位置決めされるので、位置決め作業が簡便となる。
（実施例３）
【００２４】
図５は、洗面ボールＣのさらに異なる実施例であって、フランジ部５の外側の下端に突出して形成された位置決め用段部９を形成したものである。そして、この洗面ボールＣの取付構造は、洗面ボールＣのフランジ部５の周端縁６のリブ７を架台３の側板４に載置するとともにフランジ部５の下端に設けられている位置決め用段部９を側板４の外面に係止して載置するようにして成るものである。
【００２５】
したがって、フランジ部５の下端に設けられている位置決め用段部９が側板４の外面に係止して載置するようにしているので、洗面ボールＣの位置決め作業が簡便であり、洗面ボールＣの取付けが簡単となる。
【００２６】
【発明の効果】
上述の如く、本発明の請求項１記載の洗面ボールは、洗面ボール本体の裏面側に架台の側板に載置するフランジ部を設けた洗面ボールにおいて、このフランジ部の周端縁にリブを形成しているので、架台の側板との接触面積が大となり、側板上から落下することもなく、しかも架台の側板上と洗面ボールのフランジ部との位置合わせが簡便なものである。
【００２７】
本発明の請求項２記載の洗面ボールは、フランジ部の下端に位置決め用段部を形成しているので、架台の側板の外面に位置決め用段部が係合されるので、洗面ボールの位置決め作業が簡便である。
【００２８】
本発明の請求項３記載の洗面ボールは、フランジ部の周端縁に設けられている水平リブから内方に傾斜する傾斜リブが形成されているので、架台の側板の上面に水平リブが載置され、傾斜リブによって洗面ボールの位置決め作業が簡便となる。
【００２９】
本発明の請求項４記載の洗面ボールは、洗面ボール本体が樹脂製のＳＭＣを基材として成形しているので、洗面ボールの肉厚が薄く形成され、材料ロスが少なく経済的に成形可能となる。
【００３０】
本発明の請求項５記載の洗面ボールの取付構造は、洗面ボールのフランジ部の周端縁のリブを架台の側板に載置するとともにフランジ部の下端に設けられている位置決め用段部を側板の外面に係止して載置するようにしているので、洗面ボールの位置決め作業が簡便であり、洗面ボールの取付けが簡単である。
【図面の簡単な説明】
【図１】（ａ）は、本発明の一実施例に係わる洗面ボールの平面図、（ｂ）は（ａ）の背面図、（ｃ）は（ａ）の側面図である。
【図２】本発明の一実施例に係わる洗面ボールの背面から見た背面図である。
【図３】本発明の一実施例に係わる洗面ボールを架台の側板の上に載置した状態を示す要部の縦断面図である。
【図４】本発明の異なる実施例に係わる洗面ボールを架台の側板の上に載置した状態を示す要部の縦断面図である。
【図５】本発明のさらに異なる実施例に係わる洗面ボールを架台の側板の上に載置した状態を示す要部の縦断面図である。
【図６】従来の洗面ボールを架台の側板の上に載置した状態を示す要部の縦断面図である。
【図７】（ａ）は、従来の洗面ボールを架台の側板の上に載置した状態を示す要部の縦断面図、（ｂ）は、従来の薄肉状態にしたフランジ部を示す要部の縦断面図、（ｃ）は、従来のフランジ部が架台の側板から落下した状態を示す要部の縦断面図である。
【符号の説明】
Ａ　　　洗面ボール
Ｂ　　　洗面ボール
Ｃ　　　洗面ボール
１　　　洗面ボール本体
２　　　裏面側
３　　　架台
４　　　側板
５　　　フランジ部
６　　　周端縁
７　　　リブ
８　　　傾斜リブ
９　　　位置決め用段部
１０　　排水口
１１　　屈曲点
【図１】
2004081259.tif 000003
【図２】
2004081259.tif 000004
【図３】
2004081259.tif 000005
【図４】
2004081259.tif 000006
【図５】
2004081259.tif 000007
【図６】
2004081259.tif 000008
【図７】
2004081259.tif 000009